(57)【要約】【課題】洗濯機用架台部のみをそれぞれ独立した部材として構成した洗濯機用架台において、洗濯機用架台部の間隔が設置場所等の理由によって変化しても、その変化に対応して、洗濯機用架台の間を覆い隠すことができるカバー体を提供するものである。【解決手段】任意の箇所に取り付けられ、且つ複数の架台によって洗濯機を支持する洗濯機用架台１と、複数の洗濯機用架台１の間に架設して、洗濯機用架台１間の隙間を遮蔽するカバー体２と、から構成される洗濯機用架台のカバー体構造であって、前記カバー体２を、少なくともスライド可動が可能なスライド部２１を備えた２以上の部材から構成するとともに、各洗濯機用架台１間で、カバー体２の洗濯機用架台１間分の長さ幅を変位自在に調整可能に構成した。【選択図】図３
2017093751.tif 000002
【特許請求の範囲】
【請求項１】
任意の箇所に取り付けられ、且つ複数の架台によって洗濯機を支持する洗濯機用架台１と、
複数の洗濯機用架台１の間に架設して、洗濯機用架台１間の隙間を遮蔽するカバー体２と、
から構成される洗濯機用架台のカバー体構造であって、
前記カバー体２を、少なくともスライド可動が可能なスライド部２１を備えた２以上の部材から構成するとともに、
各洗濯機用架台１間で、カバー体２の洗濯機用架台１間分の長さ幅を変位自在に調整可能に構成したことを特徴とする洗濯機用架台のカバー体構造。
【請求項２】
前記カバー体２は、複数の洗濯機用架台１間の側面及び上面を遮蔽することを特徴とする前記請求項１に記載の洗濯機用架台のカバー体構造。
【請求項３】
前記カバー体２を、
少なくともその一部を起点となる洗濯機用架台１に取り付け可能に配置するカバー本体部２２と、
少なくともその一部が終点となる洗濯機用架台１にかかるように配置されるスライド部２１と、
から構成するとともに、
前記スライド部２１が、起点となる洗濯機用架台１のカバー本体部２２から終点となる洗濯機用架台１との間でスライド可能に構成されるとともに、カバー体２の洗濯機用架台１間分の長さ幅を変位自在に調整可能に構成したことを特徴とする前記請求項１又は請求項２のいずれか一つに記載の洗濯機用架台のカバー体構造。
【請求項４】
前記カバー体２を、
少なくともその一部を起点となる洗濯機用架台１に取り付け可能に配置する第１カバー本体部２２と、
少なくともその一部が終点となる洗濯機用架台１に取り付け可能に配置される第２カバー本体部２２と、
第１カバー本体部２２と第２カバー本体部２２間に架設されるスライド部２１と、
から構成するとともに、
前記スライド部２１が、起点となる第１カバー本体部２２から終点となる第２カバー本体部２２との間でスライド可能に構成されるとともに、カバー体２の洗濯機用架台１間分の長さ幅を変位自在に構成したことを特徴とする前記請求項１又は請求項２のいずれか一つに記載の洗濯機用架台のカバー体構造。
【発明の詳細な説明】
【技術分野】
【０００１】
本発明は、床面上に洗濯機を配置する際に、洗濯機を載置する洗濯機用架台について、複数個の架台を利用して洗濯機を載置する場合に、複数の架台間の間隔が変化する場合でも良好に取り付けを行うことができる、洗濯機用架台のカバー部材に関するものである。
【背景技術】
【０００２】
従来より洗濯機を屋内、または屋外の床面上に配置する場合に、床面上に洗濯機用架台を配置して、この架台の上に洗濯機の脚部を配置する施工方法が知られている。
床面上に架台を配置して、その上に洗濯機を載置する理由は様々であるが、例えば次のような理由が挙げられる。
床面上に直接洗濯機を配置する場合、床面上と洗濯機底面との間には隙間がほとんど生じなくなる。このため、洗濯機の排水処理を行う為の配管を、洗濯機の直下の床面に配管する隙間が無くなり、平面視洗濯機の外側の床面上にて配管を行う必要が生じ、その分床面のデッドスペースが増加する。洗濯機を洗濯機用架台上に載置した場合、床面上と洗濯機底面との間には配管の為に充分な隙間空間が形成され、洗濯機の下方にて配管を行うことができるので、上記デッドスペースの発生を防止することができる。
床面上に直接洗濯機を配置する場合、床面上と洗濯機底面との間には隙間がほとんど生じなくなる。このため、洗濯機を配置した部分の床面上の清掃がほとんどできなくなる、という問題がある。洗濯機を洗濯機用架台上に載置した場合、床面上と洗濯機底面との間には清掃の為に清掃作業者が手を差し入れるなどの作業を行うのに充分な隙間空間が形成され、清掃を行うことが可能となる。
近年、洗濯機の上面では無く側面より洗濯の対象となる衣類の出し入れを行う、ドラム式の洗濯機が利用されている。このドラム式洗濯機の場合、衣類の出し入れを行う開口部分が洗濯機の側面にあるため、洗濯機を、洗濯機用架台を用いずそのまま床面上に配置した場合、開口部分の高さ位置が低くなり、洗濯機の使用者は屈みながら衣類の取り出しを行う必要があり、使用者にとって不便である。上記洗濯機用架台を用いてドラム式洗濯機の開口部を高い位置とすると、洗濯機の使用者が屈むことなく洗濯機より衣類の出し入れを行うことが可能となり、使用者にとって好適である。
【０００３】
洗濯機を載置する洗濯機用架台としては、特許文献１に記載したような、洗濯機用防水パンに架台部分を設けたものが知られている。この洗濯機用架台では、床面上に配置する、洗濯機が破損した場合の水受けを行う洗濯機用防水パンの四隅に、洗濯機用防水パンの側壁を超える高さの隆起部分を設けて、この隆起部分を洗濯機用架台として使用する。
【０００４】
また、同様に洗濯機用架台部分を備えた洗濯機用防水パンの構造として、特許文献２に記載したような、洗濯機用防水パンの構造が知られている。この特許文献２に記載の洗濯機用防水パンの場合、その四隅に比較的低い隆起部分を設けて洗濯機用架台とし、更に必要に応じて追加で用意した洗濯機用架台を、上記洗濯機用防水パンの一体とした洗濯機用架台部分に重ねるようにして取り付けて、架台の高さを二段階に調整できるように構成している。この場合では、利用する洗濯機の衣類の取り出しの為の開口部の高さ位置に合わせて洗濯機用架台の高さを調整できる、という利点がある。
【０００５】
また、上記特許文献１また特許文献２に記載の洗濯機用防水パンに一体に洗濯機用架台を設ける場合の他に、特許文献３に記載した洗濯機用架台のように、洗濯機用架台部分のみをそれぞれ独立した部材として構成し、この洗濯機用架台部分を床面上に配置した上で、その洗濯機用架台の上面上に洗濯機を載置する方法も知られている。
特許文献３に記載の洗濯機用架台は、下方を開放した箱体状の洗濯機用架台本体の内部に、底面視複数の十字形状のリブを設け、底面を覆う固定台座の上面に設けた溝部と嵌合させることで、洗濯機用架台と固定台座とからなる洗濯機用架台を構成し、この洗濯機用架台を複数用意して床面上に固定配置し、洗濯機用架台上面に洗濯機の脚部を載置するように構成されてなる。特許文献１また特許文献２に記載したような、洗濯機用架台同士の間隔や位置の変更ができない、洗濯機用防水パンの四隅に隆起部分を設けて洗濯機用架台とする方法と違い、特許文献３のような架台を複数用意して組み合わせる方法では、洗濯機を設置する床面の形状やスペースに合わせて洗濯機用架台の間隔を調整して配置することができ、洗濯機用防水パンの設置できない狭隘な床面にも設置できる、という利点がある。
【先行技術文献】
【特許文献】
【０００６】
【特許文献１】特開２００８−８８６３０号
【特許文献２】特開２００７−  ２６１４号
【特許文献３】特開２０１３−７４９２２号
【発明の概要】
【発明が解決しようとする課題】
【０００７】
上記のような特許文献１に記載の洗濯機用架台には、以下に記載するような問題点があった。
上記した洗濯機用架台について、洗濯機用架台間の隙間を開放したままであると、猫などの小動物がこの洗濯機下の隙間空間に潜り込んだり、子供がこの洗濯機下の隙間空間に手を挿し入れたりすることで、洗濯機下の突起などに触れるなどして怪我を負う場合がある。また、洗濯機底面と床面や洗濯機用防水パン上面との間の隙間空間は暗く、清掃頻度も高くない無いため埃や汚れ等が溜まりやすく、あまり露出を高いものとはしたくない、という要望がある。
このため、複数設けた洗濯機用架台の間に、この洗濯機用架台間の隙間を覆い隠すための、板状または断面視略Ｌ字形状を成すカバー体を配置し、洗濯機下の空間に小動物が侵入したり、子供が手を挿し入れることが無いようにし、また隙間を覆い隠すことで意匠性を高めるようにしている（尚、壁面等に沿って架台を配置する場合、この壁面等に沿った、露出しない側にはカバー体を配置しない場合もある）。また、カバー体は、洗濯機用架台に対して着脱式に取り付けして配置することで、上記効果を得ると共に、清掃など洗濯機下の空間に作業を行う必要がある場合には、カバー体を取り外して洗濯機下の空間に作業を行うことができるように構成している。
【０００８】
特許文献１または特許文献２に記載された従来の洗濯機用架台のカバー体のように、全ての架台が洗濯機用防水パンに一体に成形されて、洗濯機用架台同士の間隔が常に一定の幅に定まっている場合には、その定まった幅に合わせてカバー体を設計・製造すれば良いため、何ら問題は無い。
しかしながら、特許文献３に記載した洗濯機用架台のように、洗濯機用架台部分のみをそれぞれ独立した部材として構成した場合、設置した場所に合わせて洗濯機用架台同士の間隔が変化することに対し、カバー体の幅は一定に定まっているため、洗濯機用架台同士の間にカバー体を配置することが困難であった。このため、洗濯機用架台のみをそれぞれ独立した部材として構成した洗濯機用架台の場合、カバー体を利用することを断念するか、またはカバー体を利用する場合には、床面に合わせて洗濯機用架台の間隔を調整して配置する、という長所を放棄してカバー体に合わせて洗濯機用架台の間隔を、カバー体によって定められた幅に限定して配置するしか方法が無かった。
本発明は上記問題点に鑑み発明されたものであって、洗濯機用架台のみをそれぞれ独立した部材として構成した洗濯機用架台において、洗濯機用架台の間隔が設置場所等の理由によって変化しても、その変化に対応して、洗濯機用架台の間を覆い隠すことができるカバー体を提供するものである。
【課題を解決するための手段】
【０００９】
請求項１に記載の洗濯機用架台のカバー体構造は、任意の箇所に取り付けられ、且つ複数の架台によって洗濯機を支持する洗濯機用架台１と、複数の洗濯機用架台１の間に架設して、洗濯機用架台１間の隙間を遮蔽するカバー体２と、から構成される洗濯機用架台のカバー体構造であって、前記カバー体２を、少なくともスライド可動が可能なスライド部２１を備えた２以上の部材から構成するとともに、各洗濯機用架台１間で、カバー体２の洗濯機用架台１間分の長さ幅を変位自在に調整可能に構成したことを特徴とする洗濯機用架台のカバー体構造である。
【００１０】
請求項２に記載の洗濯機用架台のカバー体構造は、前記カバー体２を、複数の洗濯機用架台１間の側面及び上面を遮蔽することを特徴とする前記段落０００９に記載の洗濯機用架台のカバー体構造である。
【００１１】
請求項３に記載の洗濯機用架台のカバー体構造は、前記カバー体２を、少なくともその一部を起点となる洗濯機用架台１に取り付け可能に配置するカバー本体部２２と、少なくともその一部が終点となる洗濯機用架台１にかかるように配置されるスライド部２１と、から構成するとともに、前記スライド部２１が、起点となる洗濯機用架台１のカバー本体部２２から終点となる洗濯機用架台１との間でスライド可能に構成されるとともに、カバー体２の洗濯機用架台１間分の長さ幅を変位自在に調整可能に構成したことを特徴とする前記段落０００９又は段落００１０のいずれか一つに記載の洗濯機用架台のカバー体構造である。
【００１２】
請求項４に記載の洗濯機用架台のカバー体構造は、前記カバー体２を、少なくともその一部を起点となる洗濯機用架台１に取り付け可能に配置する第１カバー本体部２２と、少なくともその一部が終点となる洗濯機用架台１に取り付け可能に配置される第２カバー本体部２２と、第１カバー本体部２２と第２カバー本体部２２間に架設されるスライド部２１と、から構成するとともに、前記スライド部２１が、起点となる第１カバー本体部２２から終点となる第２カバー本体部２２との間でスライド可能に構成されるとともに、カバー体２の洗濯機用架台１間分の長さ幅を変位自在に構成したことを特徴とする前記段落０００９又は段落００１０のいずれか一つに記載の洗濯機用架台のカバー体構造である。
【発明の効果】
【００１３】
請求項１に記載の本発明は、カバー体２を、少なくともスライド可動が可能なスライド部２１を備えた２以上の部材から構成するとともに、各洗濯機用架台１間で、カバー体２の洗濯機用架台１間分の長さ幅を変位自在に調整可能に構成したことから、洗濯機用架台１を任意の寸法に取り付け固定しても、その長さに対応してカバー体２の長さを変位自在にできるので、汎用性が広まり、洗濯機用架台１の取付位置が適宜変更可能となった。
請求項２に記載の本発明は、カバー体２を、複数の洗濯機用架台１間の側面及び上面を遮蔽したことから、洗濯機用架台１間の側面と上面を全て覆い隠すことが可能であるので、猫などの小動物がこの洗濯機下の隙間空間３に潜り込んだり、子供がこの洗濯機下の隙間空間３に手を挿し入れたりすることを効果的に防止することができる。また、洗濯機底面と床面５や洗濯機用防水パン上面との間の隙間に埃や汚れ等が溜まりにくい。
請求項３に記載の本発明は、カバー体２を、少なくともその一部を起点となる洗濯機用架台１に取り付け可能に配置するカバー本体部２２と、少なくともその一部が終点となる洗濯機用架台１にかかるように配置されるスライド部２１と、から構成するとともに、前記スライド部２１が、起点となる洗濯機用架台１のカバー本体部２２から終点となる洗濯機用架台１との間でスライド可能に構成されるとともに、カバー体２の洗濯機用架台１間分の長さ幅を変位自在に調整可能に構成したことから、カバー体２の部材点数を少なく構成することができる。
請求項４に記載の本発明は、カバー体２を、少なくともその一部を起点となる洗濯機用架台１に取り付け可能に配置する第１カバー本体部２２ａと、少なくともその一部が終点となる洗濯機用架台１に取り付け可能に配置される第２カバー本体部２２ｂと、第１カバー本体部２２ａと第２カバー本体部２２ｂ間に架設されるスライド部２１と、から構成するとともに、前記スライド部２１が、起点となる第１カバー本体部２２ａから終点となる第２カバー本体部２２ｂとの間でスライド可能に構成されるとともに、カバー体２の洗濯機用架台１間分の長さ幅を変位自在に構成したことから、カバー体２の構造はより複雑とはなるが、洗濯機用架台１間の隙間が長いものにも対応することができる。
【図面の簡単な説明】
【００１４】
【図１】第１実施例の複数の洗濯機用架台を配置した状態を示す斜視図である。
【図２】第１実施例におけるカバー体の斜視図である。
【図３】第１実施例における洗濯機用架台の配置幅が最大時にカバー体がセットされた状態を示す斜視図である。
【図４】第１実施例における洗濯機用架台の配置幅が最小時にカバー体がセットされた状態を示す斜視図である。
【図５】（ａ）第１実施例における洗濯機用架台の、図５（ｂ）のＡ−Ａ’断面図である。（ｂ）第１実施例における洗濯機用架台の上面図である。
【図６】第２実施例におけるカバー体の斜視図である。
【図７】第２実施例における洗濯機用架台の配置幅が最大時にカバー体がセットされた状態を示す斜視図である。
【図８】第２実施例における洗濯機用架台の配置幅が最小時にカバー体がセットされた状態を示す斜視図である。
【図９】第３実施例における洗濯機用架台とカバー体の斜視図である。
【図１０】第３実施例における洗濯機用架台の配置幅が最大時にカバー体がセットされた状態を示す斜視図である。
【図１１】第３実施例における洗濯機用架台の配置幅が最小時にカバー体がセットされた状態を示す斜視図である。
【図１２】第３実施例におけるカバー本体部を示す底面図である。
【発明を実施するための形態】
【実施例１】
【００１５】
本実施例の洗濯機用架台のカバー体構造は、主に室内に配置される、洗濯機が載置される洗濯機用架台１に用いられ、図１乃至図５に示すように、洗濯機用架台１と、カバー体２と、から構成される。
洗濯機用架台１は、任意の箇所の床面５に載置される箱体であって、複数用いて上部に洗濯機を載置する箱体である。本実施例では、図１に示すように、洗濯機の脚であるコーナー四隅に１個づつ、計４個用いる。また、本実施例では、図１における第１洗濯機用架台１ａ及び第２洗濯機用架台１ｂの間の隙間を後述のカバー体２によって遮蔽する。なお、以下第１洗濯機用架台１ａと第２洗濯機用架台１ｂの間の隙間を「隙間空間３」と記載する。
洗濯機用架台１は、図５に示したように、底面が開放された箱体から成り、上面は洗濯機の脚が載置される載置面１１が構成され、洗濯機の振動が床面５に伝達されないよう図示しないが防振用ゴム板が載置されている。洗濯機用架台１上面にはビス１４が貫通して床面５に螺設するようボス穴１３が開口される。また、洗濯機用架台１底面には、洗濯機の振動が床面５に伝達しないように取り付けられる部材の台座用ゴム１２が洗濯機用架台１に脱着自在配置される。また、洗濯機用架台１の載置面１１には、後述のカバー体２の位置決め凸部４２が着脱自在に取り付けられる、位置決め凹部４１が構成される。尚、本実施例ではカバー体２側に位置決め凸部４２、洗濯機用架台１側を位置決め凹部４１としたが、凹凸が逆の配置としてもかまわない。
カバー体２は、本実施例では第１洗濯機用架台１ａと第２洗濯機用架台１ｂの間、すなわち隙間空間３に架設して、隙間空間３を遮蔽する部材であり、図２に示すように、カバー本体部２２、スライド部２１の２パーツから構成される。本実施例では、図１の隙間空間３の側面及び上面部分を遮蔽する。
カバー本体部２２は、断面視略Ｌ字状に構成されて、スライド部２１と協動して第１洗濯機用架台１ａと第２洗濯機用架台１ｂ間の上面と側面を遮蔽する部材である。カバー本体部２２の一端は第１洗濯機用架台１ａに取り付けられ、他端は隙間空間３の任意の箇所に位置される。このとき、他端は第２洗濯機用架台１ｂに当接又は載置してもかまわない。
位置決め凸部４２は、カバー本体部２２の第１洗濯機用架台１ａ側に構成される、羽根状の凸部であり、第１洗濯機用架台１ａの位置決め凹部４１に着脱自在に係合され、カバー本体部２２が第１洗濯機用架台１ａに取り付けられて位置決めされる。
また、カバー本体部２２の長手方向途中箇所には段落ち状の段差が構成されて段落ち部２２２を形成し、後述のスライド部２１が長手方向側にスライド可能に配置される。
スライド部２１は、断面視略Ｌ字状にカバー本体部２２と協動して第１洗濯機用架台１ａと第２洗濯機用架台１ｂ間の上面と側面を遮蔽する部材である。スライド部２１の一端はカバー本体部２２の段落ち部２２２に長手方向スライド可能に取り付けられ、他端は第２洗濯機用架台１ｂに取り付けられる。
位置決め凸部４２は、スライド部２１の第２洗濯機用架台１ｂ側に構成される、羽根状の凸部であり、第２洗濯機用架台１ｂの位置決め凹部４１に着脱自在に係合され、スライド部２１が第２洗濯機用架台１ｂに取り付けられて位置決めされる。
以上の構成から、スライド部２１がカバー本体部２２上でスライドする幅分、長さが変位可能・変位自在とすることができるので、第１洗濯機用架台１ａと第２洗濯機用架台１ｂの間の長さ距離の長短を変更して隙間空間３が長手方向に変化しても、カバー体２の長さもそれに合わせて長さを変更することができ、結果的に隙間空間３の隙間を全て遮蔽することができる。
【００１６】
上記の実施例である洗濯機用架台のカバー体構造は以下のような取り付け手順となる。
洗濯機用架台１全てに防振用ゴム板及び台座用ゴム１２を取り付け、床面５に、４つの洗濯機用架台１の取り付け位置を位置決めする。このとき、カバー体２と第１洗濯機用架台１ａ及び第２洗濯機用架台１ｂは平行にならないとスライド部２１がスライドしない為、カバー体２を洗濯機用架台１にあてがって、平行をだしながら各洗濯機用架台１の位置決めを行う。まず、第１洗濯機用架台１ａの位置決め凹部４１にカバー本体部２２の位置決め凸部４２を係合させ、第２洗濯機用架台１ｂの位置決め凹部４１にスライド部２１の係合凸部を係合させる。そして、カバー本体部２２に対してスライド部２１をスライドさせ、隙間空間３の長さ幅を調整しながら、第１洗濯機用架台１ａと第２洗濯機用架台１ｂの位置決めを行う。このように、図３及び図４に示すように、カバー本体部２２とスライド部２１は、隙間空間３の長さ方向を変位自在としたので、洗濯機用架台１を任意の寸法に取り付け固定しても、その長さに対応してカバー体２の長さを変位自在にできるので、汎用性が広まり、洗濯機用架台１の取付位置が適宜変更可能となった。
位置決めが完了すれば、まず第１洗濯機用架台１ａの上面からボス穴１３にビス１４を打ち込み、電動ドライバー等でビス１４を床面５に螺設する。そうすると、洗濯機用架台１と床面５は、架台ゴム用を介して床面５に取り付け固定される。その後、同じ手順で第２洗濯機用架台１ｂ及びその他の洗濯機用架台１を床面５に取り付け固定する。尚、このように洗濯機用架台１は、任意の箇所の床面５に取り付けることが出来るので、洗濯機を設置する床面５の形状やスペースに合わせて架台の間隔を調整して配置することができ、洗濯機用防水パンの設置できない狭隘な床面５にも設置できる。また、カバー体２によって、隙間空間３である第１洗濯機用架台１ａと第２洗濯機用架台１ｂの側面及び前面は遮蔽されているので、洗濯機下の空間に小動物が侵入したり、子供が手を挿し入れることが無く、また隙間を覆い隠す為意匠性が高まった。以上の手順で取付施工が完了する。
【００１７】
また、取り付け施工が完了し、洗濯機用架台１上部に洗濯機が載置された後でも、カバー体２は洗濯機用架台１から着脱自在に取り付け・取り外しが可能なため、使用者が洗濯機下の掃除を行いたい際や、排水トラップの清掃を行いたい場合、簡単にカバー体２を取り外せるので、清掃性・メンテナンス性が高い。
カバー体２を取り外す方法としては、まず、設置後のスライド部２１を上部に動かすことにより、スライド部２１の位置決め凸部４２と第２洗濯機用架台１ｂの位置決め凹部４１の係合を解除させ、第２洗濯機用架台１ｂ及びカバー本体部２２から取り外す。そして、同じように設置後のカバー本体部２２を上部に動かすことにより、カバー本体部２２の位置決め凸部４２と第１洗濯機用架台１ａの位置決め凹部４１の係合を解除させ、第１洗濯機用架台１ａから取り外す。このようにしてカバー体２を洗濯機用架台１から取り外すことが可能である。また、カバー体２取り付ける際は、カバー本体部２２の位置決め凸部４２と第１洗濯機用架台１ａの位置決め凹部４１を係合させて、隙間空間３を遮蔽するように第１洗濯機用架台１ａにカバー本体部２２を取り付ける。そして、同じように、スライド部２１の位置決め凸部４２と第２洗濯機用架台１ｂの位置決め凹部４１を係合させ、第２洗濯機用架台１ｂにスライド部２１を取り付ける。このように取り付ければ、隙間空間３はカバー本体部２２とスライド部２１によって遮蔽される。
【実施例２】
【００１８】
本実施例の洗濯機用架台のカバー体構造は、主に室内に配置される、洗濯機が載置される洗濯機用架台１に用いられ、図６乃至図８に示すように、洗濯機用架台１と、カバー体２と、から構成される。
洗濯機用架台１は、任意の箇所の床面５に載置される箱体であって、複数用いて上部に洗濯機を載置する箱体である。本実施例では、図１に示す例と同じように、洗濯機の脚であるコーナー四隅に１個づつ、計４個用いる。また、本実施例では、図１に示す例における第１洗濯機用架台１ａ及び第２洗濯機用架台１ｂの間の隙間を後述のカバー体２によって遮蔽する。なお、以下第１洗濯機用架台１ａと第２洗濯機用架台１ｂの間の隙間を「隙間空間３」と記載する。
洗濯機用架台１は、図５に示すように底面が開放された箱体から成り、上面は洗濯機の脚が載置される載置面１１が構成され、洗濯機の振動が床面５に伝達されないよう図示しないが防振用ゴム板が載置されている。洗濯機用架台１上面にはビス１４が貫通して床面５に螺設するようボス穴１３が開口される。また、洗濯機用架台１底面には、洗濯機の振動が床面５に伝達しないように取り付けられる部材の台座用ゴム１２が洗濯機用架台１に脱着自在配置される。また、洗濯機用架台１の内部には、カバー体２が取り付けられる位置決め部４として、図示しないが金属製の板を側面に配置構成している。
カバー体２は、本実施例では第１洗濯機用架台１ａと第２洗濯機用架台１ｂの間、すなわち隙間空間３に架設して、隙間空間３を遮蔽する部材である。また、カバー体２は、図７及び図８に示すように第１洗濯機用架台１ａ及び第２洗濯機用架台１ｂの載置面１１及び側面に被さって配置されている。また、カバー体２の側面部分は、洗濯機用架台１のコーナー部、つまり外縁まで遮蔽するように側方に飛びだして構成されているので、カバー体２によって洗濯機用架台１の側面部分は遮蔽されることとなる。なお、このように洗濯機用架台１の側面全てをカバー体２によって遮蔽することができるので、カバー体２と洗濯機用架台１の意匠面を合わせる必要が無く、カバー体２の色のレパートリーを増やしたり、表面形状を加工したりすることで、洗濯機用架台１の意匠性を向上させることができる。
本実施例ではカバー体２によって、隙間空間３にかかる上面について幅と奥行き方向の全てを遮蔽するが、その他の実施例において、カバー体２によって、隙間空間３にかかる上面の奥行き方向を全て遮蔽しなくてもよく、例えば上面の奥行き途中位置まで遮蔽するように構成していたり、隙間空間３の上面は全く遮蔽せず、隙間空間３の側面部分のみ遮蔽しても良い。
また、カバー体２は、図７及び図８に示すように隙間空間３を遮蔽するが、隙間空間３にかかる上面部分の起点と終点は洗濯機用架台１の内側端部、つまり第１及び第２洗濯機用架台１が対抗する内側面同士間の距離となる。また、カバー体２の隙間空間３にかかる側面部分の起点と終点は、第１洗濯機用架台１ａの外端部、つまり第１及び第２洗濯機用架台１が対抗する外側面同士間の距離となる。
また、図６に示すように、カバー体２は第１カバー本体部２２ａ、第２カバー本体部２２ｂ、スライド部２１の３パーツから構成される。本実施例では、隙間空間３の側面と上面部分を遮蔽する。
第１カバー本体部２２ａは、断面視略Ｌ字状に構成されて、スライド部２１と第２カバー本体部２２ｂと共に協動して第１洗濯機用架台１ａと第２洗濯機用架台１ｂ間、即ち隙間空間３の上面と側面を遮蔽する部材である。第１カバー本体部２２ａの一端は第１洗濯機用架台１ａの載置面１１と側面に被せるように取り付けられ、他端は隙間空間３の任意の箇所に位置される。このとき、他端は第２カバー本体部２２ｂに当接してもかまわない。第１カバー本体部２２ａの側面部分は、第１洗濯機用架台１ａのコーナー部、つまり外縁まで遮蔽するように構成されており、第１カバー本体部２２ａによって第１洗濯機用架台１ａの側面部分は遮蔽されることとなる。
また、カバー体２の位置決め部４として、図６乃至図８中の破線（隠れ線）で示したが第１カバー本体部２２ａの側面側の裏面にシート状のマグネット４３を配置している。当該マグネット４３の位置決め部４は、洗濯機用架台１に備えられた位置決め部４としての金属製の板に磁力によって吸着する。従って、第１洗濯機用架台１ａに、第１カバー本体部２２ａが着脱自在に取り付けられる。
また、第１カバー本体部２２ａの長手方向途中箇所には段落ち状の段差から成る段落ち部２２２が構成され、後述のスライド部２１が長手方向側にスライド可能に配置される。
第２カバー本体部２２ｂは、断面視略Ｌ字状に構成されて、スライド部２１と第１カバー本体部２２ａと共に協動して第１洗濯機用架台１ａと第２洗濯機用架台１ｂ間、即ち隙間空間３の上面と側面を遮蔽する部材である。第２カバー本体部２２ｂの一端は第２洗濯機用架台１ｂの載置面１１と側面に被せるように取り付けられ、他端は隙間空間３の任意の箇所に位置される。このとき、他端は第１カバー本体部２２ａに当接してもかまわない。第２カバー本体部２２ｂの側面部分は、第２洗濯機用架台１ｂのコーナー部、つまり外縁まで遮蔽するように構成されており、第２カバー本体部２２ｂによって第２洗濯機用架台１ｂの側面部分は遮蔽されることとなる。
また、カバー体２の位置決め部４として、図６乃至図８中の破線（隠れ線）で示したが第２カバー本体部２２ｂの側面側の裏面にシート状のマグネット４３を配置している。当該マグネット４３の位置決め部４は、洗濯機用架台１に備えられた位置決め部４としての金属製の板に磁力によって吸着する。従って、第２洗濯機用架台１ｂに、第２カバー本体部２２ｂが着脱自在に取り付けられる。
また、第２カバー本体部２２ｂの長手方向途中箇所には段落ち状の段差から成る段落ち部２２２が構成され、後述のスライド部２１が長手方向側にスライド可能に配置される。
スライド部２１は、断面視略Ｌ字状にカバー本体部２２と協動して第１洗濯機用架台１ａと第２洗濯機用架台１ｂ間の上面と側面を遮蔽する部材である。スライド部２１の一端は第１カバー本体部２２ａの段落ち部２２２に長手方向スライド可能に取り付けられ、他端は第２カバー本体部２２ｂの段落ち部２２２に長手方向スライド可能に取り付けられる。
以上の構成から、スライド部２１がカバー本体部２２上でスライドする幅分、長さが変位可能・変位自在とすることができるので、第１洗濯機用架台１ａと第２洗濯機用架台１ｂの間の長さ距離の長短を変更して隙間空間３が長手方向に変化しても、カバー体２の長さもそれに合わせて長さを変更することができ、結果的に隙間空間３の隙間を全て遮蔽することができる。
【００１９】
上記の実施例である洗濯機用架台のカバー体構造は以下のような取り付け手順となる。
洗濯機用架台１全てに防振用ゴム板及び台座用ゴム１２を取り付け、床面５に、４つの洗濯機用架台１の取り付け位置を位置決めする。このとき、カバー体２と第１洗濯機用架台１ａ及び第２洗濯機用架台１ｂは平行にならないとスライド部２１がスライドしない為、カバー体２を洗濯機用架台１にあてがって、平行をだしながら各洗濯機用架台１の位置決めを行う。まず、第１洗濯機用架台１ａの位置決め部４としての金属製の板に対応する箇所に、第１カバー本体の位置決め部４としてのマグネット４３が対応するよう配置し、位置決め部４のマグネット４３の磁力の吸着力により第１洗濯機用架台１ａに第１カバー本体部２２ａを位置決めて取り付ける。このとき、第１カバー本体の上面側端部は、その一部が第１洗濯機用架台１ａの載置面１１に載置される。そして、第２洗濯機用架台１ｂの位置決め部４としての金属製の板に対応する箇所に、第２カバー本体の位置決め部４としてのマグネット４３が対応するよう配置し、位置決め部４のマグネット４３の磁力の吸着力により第２洗濯機用架台１ｂに第２カバー本体部２２ｂを位置決めて取り付ける。このとき、第２カバー本体の上面側端部は、その一部が第２洗濯機用架台１ｂの載置面１１に載置される。そして、スライド部２１を第１カバー本体部２２ａと第２カバー本体部２２ｂ間に対抗して配置される段落ち部２２２に当接させ、第１及び第２カバー本体部２２に対してスライド部２１をスライドさせ、隙間空間３の長さ幅を調整しながら、第１洗濯機用架台１ａと第２洗濯機用架台１ｂの位置決めを行う。このように、図７及び図８のようにカバー本体部２２とスライド部２１は、隙間空間３の長さ方向を変位自在としたので、洗濯機用架台１を任意の寸法に取り付け固定しても、その長さに対応してカバー体２の長さを変位自在にできるので、汎用性が広まり、洗濯機用架台１の取付位置が適宜変更可能となった。
位置決めが完了すれば、まず第１洗濯機用架台１ａの上面からボス穴１３にビス１４を打ち込み、電動ドライバー等でビス１４を床面５に螺設する。そうすると、洗濯機用架台１と床面５は、架台ゴム用を介して床面５に取り付け固定される。その後、同じ手順で第２洗濯機用架台１ｂ及びその他の洗濯機用架台１を床面５に取り付け固定する。尚、このように洗濯機用架台１は、任意の箇所の床面５に取り付けることが出来るので、洗濯機を設置する床面５の形状やスペースに合わせて架台の間隔を調整して配置することができ、洗濯機用防水パンの設置できない狭隘な床面５にも設置できる。また、カバー体２によって、隙間空間３である第１洗濯機用架台１ａと第２洗濯機用架台１ｂの側面及び前面は遮蔽されているので、洗濯機下の空間に小動物が侵入したり、子供が手を挿し入れることが無く、また隙間を覆い隠す為意匠性が高まった。以上の手順で取付施工が完了する。
【００２０】
また、取り付け施工が完了し、洗濯機用架台１上部に洗濯機が載置された後でも、カバー体２は洗濯機用架台１から着脱自在に取り付け・取り外しが可能なため、使用者が洗濯機下の掃除を行いたい際や、排水トラップの清掃を行いたい場合、簡単にカバー体２を取り外せるので、清掃性・メンテナンス性が高い。
カバー体２を取り外す方法としては、まず、設置後のスライド部２１を上部に動かして第１カバー本体部２２ａ及び第２カバー本体部２２ｂからスライド部２１を取り外す。そして、第１又は第２カバー本体のいずれか一方を適宜選択して側面側に動かし、位置決め部４のマグネット４３と金属製の板との吸着を解除し、洗濯機用架台１カバー本体部２２を取り外す。また、他方の洗濯機用架台１から他方のカバー本体部２２を同じ手順で取り外す。このようにしてカバー体２を洗濯機用架台１から取り外すことが可能である。また、カバー体２取り付ける際は、第１又は第２カバー本体部２２ｂのいずれか一方を適宜選択し、カバー本体部２２の位置決め部４としてのマグネット４３を対応する洗濯機用架台１の金属製板上に配置させてカバー本体部２２を洗濯機用架台１に取り付ける。このとき、カバー本体部２２は位置決め部４によって洗濯機用架台１に着脱可能に取り付けられる。そして、他方のカバー本体部２２を同じ手順で他方の洗濯機用架台１に取り付ける。そして、第１カバー本体部２２ａ及び第２カバー本体部２２ｂのそれぞれの段落ち部２２２にスライド部２１を配置して取り付ける。このように取り付ければ、隙間空間３はカバー本体部２２とスライド部２１によって遮蔽される。
【実施例３】
【００２１】
本実施例の洗濯機用架台のカバー体構造は、主に室内に配置される、洗濯機が載置される洗濯機用架台１に用いられ、図９乃至図１２に示すように、洗濯機用架台１と、カバー体２と、から構成される。
洗濯機用架台１は、任意の箇所の床面５に載置される箱体であって、複数用いて上部に洗濯機を載置する箱体である。本実施例では、図１に示した例に示すように、洗濯機の脚であるコーナー四隅に１個づつ、計４個用いる。また、本実施例では、図１の例における第１洗濯機用架台１ａ及び第２洗濯機用架台１ｂの間の隙間を後述のカバー体２によって遮蔽する。なお、以下第１洗濯機用架台１ａと第２洗濯機用架台１ｂの間の隙間を「隙間空間３」と記載する。
洗濯機用架台１は、図５に示すように底面が開放された箱体から成り、上面は洗濯機の脚が載置される載置面１１が構成され、洗濯機の振動が床面５に伝達されないよう図示しないが防振用ゴム板が載置されている。洗濯機用架台１上面にはビス１４が貫通して床面５に螺設するようボス穴１３が開口される。また、洗濯機用架台１底面には、洗濯機の振動が床面５に伝達しないように取り付けられる部材の台座用ゴム１２が洗濯機用架台１に脱着自在配置される。また、複数設置された洗濯機用架台１の対抗する内側面側の面には、図９におけるＡ部拡大図に示すように、カバー本体部２２の位置決め凸部４２に係合する位置決め凹部４１がＬ字の溝状に構成されている。
カバー体２は、図１０及び図１１に示すように本実施例では第１洗濯機用架台１ａと第２洗濯機用架台１ｂの間、すなわち隙間空間３に架設して、隙間空間３を遮蔽する部材である。また、カバー体２は、第１洗濯機用架台１ａ及び第２洗濯機用架台１ｂの間に配置されている。
本実施例ではカバー体２によって、隙間空間３にかかる上面について幅と奥行き方向の全てを遮蔽するが、その他の実施例において、カバー体２によって、隙間空間３にかかる上面の奥行き方向を全て遮蔽しなくてもよく、例えば上面の奥行き途中位置まで遮蔽するように構成していたり、隙間空間３の上面は全く遮蔽せず、隙間空間３の側面部分のみ遮蔽しても良い。
また、カバー体２は、隙間空間３を遮蔽するが、隙間空間３にかかる上面部分と側面部分の起点と終点は洗濯機用架台１の内側端部、つまり第１及び第２洗濯機用架台１が対抗する内側面同士間の距離となる。
また、カバー体２は図９に示すように、第１カバー本体部２２ａ、第２カバー本体部２２ｂ、スライド部２１の３パーツから構成される。本実施例では、隙間空間３の側面と上面部分を遮蔽する。
第１カバー本体部２２ａは、断面視略Ｌ字状に構成されて、スライド部２１と第２カバー本体部２２ｂと共に協動して第１洗濯機用架台１ａと第２洗濯機用架台１ｂ間、即ち隙間空間３の上面と側面を遮蔽する部材である。第１カバー本体部２２ａの一端には、図９のＡ部拡大図に示したように第１カバー本体部２２ａの断面視Ｌ字状に沿うように構成された同じくＬ字状に羽根のように飛び出して構成した位置決め凸部４２が構成される。尚、当該位置決め凸部４２は前記の第１洗濯機用架台１ａの溝状の位置決め凹部４１に挿入されて取り付け固定される。また、第１カバー本体部２２ａの他端は隙間空間３の任意の箇所に位置される。このとき、他端は第２カバー本体部２２ｂに当接してもかまわない。
また、第１カバー本体部２２ａの長手方向の裏面側には、後述のスライド部２１が長手方向側にスライド可能に配置される。このため、スライド部２１のレール凸部２１１がスライド嵌合するレール溝２２１を図９Ｂ部拡大図の破線（隠れ線）及び図１２（これはカバー本体部２２の底面図である。）に示すように構成する。このレール溝２２１は、第１カバー本体部２２ａ裏面に、スライド部２１がスライドする長手方向から、奥行き方向に向かって溝状に構成されている。
第２カバー本体部２２ｂは、断面視略Ｌ字状に構成されて、スライド部２１と第１カバー本体部２２ａと共に協動して第１洗濯機用架台１ａと第２洗濯機用架台１ｂ間、即ち隙間空間３の上面と側面を遮蔽する部材である。第２カバー本体部２２ｂの一端には、第２カバー本体部２２ｂの断面視Ｌ字状に沿うように構成された同じくＬ字状に羽根のように飛び出して構成した位置決め凸部４２が構成される。尚、当該位置決め凸部４２は前記第２洗濯機用架台１ｂの溝状の位置決め凹部４１に挿入されて取り付け固定される。また、第２カバー本体部２２ｂの他端は隙間空間３の任意の箇所に位置される。このとき、他端は第１カバー本体部２２ａに当接してもかまわない。
また、第２カバー本体部２２ａの長手方向の裏面側には、後述のスライド部２１が長手方向側にスライド可能に配置される。このため、スライド部２１のレール凸部２１１がスライド嵌合するレール溝２２１を図９Ｂ部拡大図の破線（隠れ線）及び図１２（これはカバー本体部２２の底面図である。）に示すように構成する。このレール溝２２１は、第２カバー本体部２２ａ裏面に、スライド部２１がスライドする長手方向から、奥行き方向に向かって溝状に構成されている。
スライド部２１は、図９に示すように、断面視略Ｕ字状にカバー本体部２２と協動して第１洗濯機用架台１ａと第２洗濯機用架台１ｂ間の上面と側面を遮蔽する部材である。スライド部２１の一端は第１カバー本体部２２ａの裏面側に内接するように配置されて長手方向スライド可能に取り付けられる。また、他端は第２カバー本体部２２ｂの裏面側に内接するように配置されて長手方向スライド可能に取り付けられる。また、スライド部２１上面には、図９のＢ部拡大図及び図１０，図１１の破線（隠れ線）に示す前記レール溝２２１に嵌合するレール凸部２１１が２カ所突設して構成される。このレール凸部２１１は、第１及び第２カバー本体部２２裏面に構成されたレール溝２２１にスライド可能に嵌合されている。また、スライド部２１は、第１及び第２カバー本体裏面に構成されたレール溝２２１に従って、基本的には第１及び第２カバー本体部２２の長手方向に向かってスライドするが、設置後にスライド部２１を取り外す際にはスライド部２１を第１又は第２カバー本体部２２ｂのいずれか一方を選択し、洗濯した側にスライド部２１をスライドさせて、そのときにスライド部２１を奥行き方向に向かって押すことで、レール凸部２１１がレール溝２２１の奥行き側にスライドし、カバー本体部２２からスライド部２１を取り外すことが可能である。
以上の構成から、スライド部２１がカバー本体部２２上でスライドする幅分、長さが変位可能・変位自在とすることができるので、第１洗濯機用架台１ａと第２洗濯機用架台１ｂの間の長さ距離の長短を変更して隙間空間３が長手方向に変化しても、カバー体２の長さもそれに合わせて長さを変更することができ、結果的に隙間空間３の隙間を全て遮蔽することができる。
【００２２】
上記の実施例である洗濯機用架台のカバー体構造は以下のような取り付け手順となる。
洗濯機用架台１全てに防振用ゴム板及び台座用ゴム１２を取り付け、床面５に、４つの洗濯機用架台１の取り付け位置を位置決めする。このとき、カバー体２と第１洗濯機用架台１ａ及び第２洗濯機用架台１ｂは平行にならないとスライド部２１がスライドしない為、カバー体２を洗濯機用架台１にあてがって、平行をだしながら各洗濯機用架台１の位置決めを行う。まず、第１洗濯機用架台１ａの位置決め凹部４１に第１カバー本体の位置決め凸部４２を挿入して、第１洗濯機用架台１ａに第１カバー本体を取り付ける。そして、第２洗濯機用架台１ｂの位置決め凹部４１に、第２カバー本体の位置決め凸部４２を挿入して、第２洗濯機用架台１ｂに第２カバー本体を取り付ける。そして、スライド部２１を第１カバー本体部２２ａと第２カバー本体部２２ｂ間に対抗して配置される第１及び第２カバー本体部２２の裏面側に配置し、カバー本体部２２の裏面側にスライド部２１を当接させ、第１及び第２カバー本体部２２に対してスライド部２１をスライドさせる。このとき、スライド部２１のレール凸部２１１の一方を第１又は第２カバー本体部２２ｂ裏面側に構成したレール溝２２１に沿うように嵌め込み、他方のカバー本体部２２裏面のレール溝２２１にも嵌合させる。このようにして、スライド溝とレール凸部２１１をスライド可能に取り付けることができるので、スライド部２１はカバー本体部２２に対してスライド可能となる。そしてスライド部２１をスライドさせて隙間空間３の長さ幅を調整しながら、第１洗濯機用架台１ａと第２洗濯機用架台１ｂの幅の位置決めを行う。このように、カバー本体部２２とスライド部２１は、隙間空間３の長さ方向を変位自在としたので、洗濯機用架台１を任意の寸法に取り付け固定しても、その長さに対応してカバー体２の長さを変位自在にできるので、汎用性が広まり、洗濯機用架台１の取付位置が適宜変更可能となった。
位置決めが完了すれば、まず第１洗濯機用架台１ａの上面からボス穴１３にビス１４を打ち込み、電動ドライバー等でビス１４を床面５に螺設する。そうすると、洗濯機用架台１と床面５は、架台ゴム用を介して床面５に取り付け固定される。その後、同じ手順で第２洗濯機用架台１ｂ及びその他の洗濯機用架台１を床面５に取り付け固定する。尚、このように洗濯機用架台１は、任意の箇所の床面５に取り付けることが出来るので、洗濯機を設置する床面５の形状やスペースに合わせて架台の間隔を調整して配置することができ、洗濯機用防水パンの設置できない狭隘な床面５にも設置できる。また、カバー体２によって、隙間空間３である第１洗濯機用架台１ａと第２洗濯機用架台１ｂの側面及び前面は遮蔽されているので、洗濯機下の空間に小動物が侵入したり、子供が手を挿し入れることが無く、また隙間を覆い隠す為意匠性が高まった。以上の手順で取付施工が完了する。
【００２３】
また、取り付け施工が完了し、洗濯機用架台１上部に洗濯機が載置された後でも、カバー体２は洗濯機用架台１から着脱自在に取り付け・取り外しが可能なため、使用者が洗濯機下の掃除を行いたい際や、排水トラップの清掃を行いたい場合、簡単にカバー体２を取り外せるので、清掃性・メンテナンス性が高い。
カバー体２を取り外す方法としては、まず、設置後のスライド部２１を第１及び第２洗濯機用架台１のいずれか一方を選択し片方に寄せてスライドさせ、更にスライド部２１を奥行き方向に押して後方に動かし、スライド部２１のレール凸部２１１をカバー本体のレール溝２２１から解除する。一方のスライドレールが解除されると、スライド部２１の他端のスライドレール嵌合も簡単に解除される。そのようにして第１カバー本体部２２ａ及び第２カバー本体部２２ｂからスライド部２１を取り外す。そして、第１又は第２カバー本体のいずれか一方を適宜選択して側面側に動かし、位置決め凸部４２をカバー本体部２２の位置決め凹部４１から洗濯機用架台１カバー本体部２２を取り外す。また、他方の洗濯機用架台１から他方のカバー本体部２２を同じ手順で取り外す。このようにしてカバー体２を洗濯機用架台１から取り外すことが可能である。また、カバー体２を洗濯機用架台１に取り付ける際は、第１又は第２カバー本体部２２ｂのいずれか一方を適宜選択し、カバー本体部２２の位置決め凸部４２を対応する洗濯機用架台１の位置決め凹部４１に挿入し、カバー本体部２２を洗濯機用架台１に取り付ける。このとき、カバー本体部２２は位置決め部４によって洗濯機用架台１に着脱可能に取り付けられる。そして、他方のカバー本体部２２を同じ手順で他方の洗濯機用架台１に取り付ける。そして、第１又は第２カバー本体部２２ｂのいずれか一方を適宜選択し、スライド部２１のレール凸部２１１をカバー本体部２２裏面のレール溝２２１に嵌合させ、スライド部２１を洗濯機用架台１側にスライドさせ、他方のレール凸部２１１を、他方のカバー本体部２２裏面のレール溝２２１に嵌合させて適宜箇所にスライド配置して取り付ける。このように取り付ければ、隙間空間３はカバー本体部２２とスライド部２１によって遮蔽される。
【００２４】
本発明は前記した実施例のほか、特許請求の範囲を越えない範囲で適宜変更は可能である。
例えば、前記実施例では位置決め部４を凹凸形状で係合させたりマグネット４３の磁力で吸着させたりしているが、位置決め部４はカバー体２と洗濯機用架台１の位置決めが達成すれば良いため、形状は特に問わない。
【符号の説明】
【００２５】
１      洗濯機用架台
１ａ    第１洗濯機用架台
１ｂ    第２洗濯機用架台
１１    載置面
１２    台座用ゴム
１３    ボス穴
１４    ビス
１５    位置決め凹部
２      カバー体
２１    スライド部
２１１  レール凸部
２２    カバー本体部
２２ａ  第１カバー本体部
２２ｂ  第２カバー本体部
２２１  レール溝
２２２  段落ち部
３      隙間区間
４      位置決め部
４１    凹部
４２    凸部
４３    マグネット
５      床面
【図１】
2017093751.tif 000003
【図２】
2017093751.tif 000004
【図３】
2017093751.tif 000005
【図４】
2017093751.tif 000006
【図５】
2017093751.tif 000007
【図６】
2017093751.tif 000008
【図７】
2017093751.tif 000009
【図８】
2017093751.tif 000010
【図９】
2017093751.tif 000011
【図１０】
2017093751.tif 000012
【図１１】
2017093751.tif 000013
【図１２】
2017093751.tif 000014